(57)【要約】      （修正有）【課題】取扱いが容易で、ペットフードに蟻が集まらず、ペットフードの残量を容易に確認することができ、さらにペットフードの猫による食い散らかしのない猫用食器を提供する。【解決手段】複数に分けた異種のペットフード７を別々に収納することができるものであって、深盆部２と、深盆部２の底面の異なる箇所から立設された複数の筒状の深皿部３と、を備える。深盆部２の内部において、深皿部が存在しない部分を水溜部４として、深皿部３の全周を、水溜部４に入れた水によって囲む。また、深盆部２の下部に通じる排水口に開閉装置９を設けている。【選択図】図１
0003142913.tif 000002
【実用新案登録請求の範囲】
【請求項１】
複数に分けた同一又は異種のペットフード（７）を別々に収納することができる猫用食器（１）であって、深盆部（２）と，深盆部（２）の底面の異なる箇所に立設された複数の筒状の深皿部（３）とを備え、深盆部（２）の内部において，深皿部（３）が存在しない部分を水溜部（４）として、各深皿部（３）の全外周壁を、水溜部（４）に入れた水（８）によって囲むようにし、且つ深盆部（２）の下部に通じる排水口（２ａ）に開閉装置（９）を設けたことを特徴とする猫用食器。
【請求項２】
複数に分けた同一又は異種のペットフード（７）を別々に収納することができる猫用食器（１）であって、深盆部（２）と、深盆部（２）の底面の異なる箇所に立設された複数の筒状の深皿部（３）とを備え、深盆部（２）の内部において，深皿部（３）が存在しない部分を水溜部（４）として、各深皿部（３）の全外周壁を、水溜部（４）に入れた水（８）によって囲むようにし、深皿部（３）のいずれか一つ以上の内周壁面に，ペットフード（７）の残量を示す目盛り（５）を設け、且つ深盆部（２）の下部に通じる排水口（２ａ）に開閉装置（９）を設けたことを特徴とする猫用食器。
【請求項３】
複数に分けた同一又は異種のペットフード（７）を別々に収納することができる猫用食器（１）であって、深盆部（２）と、深盆部（２）の底面の異なる箇所に立設された複数の筒状の深皿部（３）とを備え、深皿部（２）の内部において，深皿部（３）が存在しない部分を水溜部（４）として、各深皿部（３）の全外周壁を、水溜部（４）に入れた水（８）によって囲むようにし、複数の深皿部（３）の一以上の底面から，ペットフードのへばりつきを防止する複数の突起（６）を立設し、且つ深盆部（２）の下部に通じる排水口（２ａ）に開閉装置（９）を設けたことを特徴とする猫用食器。
【請求項４】
複数に分けた同一又は異種のペットフード（７）を別々に収納することができる猫用食器（１）であって、深盆部（２）と、深盆部（２）の底面の異なる箇所に立設された複数の筒状の深皿（３）とを備え、深盆部（２）の内部において，深皿部（３）が存在しない部分を水溜部（４）として、各深皿部（３）の全外周壁を、水溜部（４）に入れた水（８）によって囲むようにし、深皿部（３）のいずれか一つ以上の内周壁面に，ペットフード（７）の残量を示す目盛り（５）を設け、さらに，複数の深皿部（３）の一つ以上の底面から，ペットフードのへばりつきを防止する複数の突起（６）を立設し、且つ深盆部（２）の下部に通じる排水口（２ａ）に開閉装置（９）を設けたことを特徴とする猫用食器。
【考案の詳細な説明】
【技術分野】
【０００１】
本考案は、複数のペットフードを収納し、蟻の寄り付かない猫用の食器に関するものである。
【背景技術】
【０００２】
猫は元来単独捕食者であり、自分よりはるかに小さな獲物しか捕まえられないため、１日に何回も狩をする必要がある。したがって飼い猫であっても昼夜を問わず少しずつ何回にも分けて餌を食べるという少量頻回採食者である。また、自由に採食するダラ食いの方が、尿ＰＨが食後急激にアルカリ性に傾くのを抑え、尿結石の予防に繋がるとされている。
【考案の開示】
【考案が解決しようとする課題】
【０００３】
通常、飼猫の食器は室内に置かれているが、この食器には、前述した理由により常時ペットフードが補充されており、蟻が群がり易く、またウエットタイプのフードを舐めて食べるときには、食器の底面や内周壁にフードがへばりついて、うまくしゃくって食べられない。
【０００４】
本考案はこうした点に鑑み創案されたもので、取扱いが容易で、ペットフードに蟻が集まらず、ペットフードの残量を容易に確認することができ、さらにペットフードが風などで飛散することのない猫用食器を提供することを課題とする。
【課題を解決するための手段】
【０００５】
図１乃至図３を参照して説明する。請求項１に記載の猫用食器は、複数に分けた同一又は異種のペットフード７を別々に収納することができる猫用食器１であって、深盆部２と，深盆部２の底面の異なる箇所に立設された複数の筒状の深皿部３とを備え、深盆部２の内部において、深皿部３が存在しない部分を水溜部４として、各深皿部３の全外周壁を、水溜部４に入れた水８によって囲むようにし、且つ深盆部２の下部に通じる排水口２ａに開閉装置９を設けている。
【０００６】
請求項２に記載の猫用食器は、複数に分けた同一又は異種のペットフード７を別々に収納することができる猫用食器１であって、深盆部２と、深盆部２の底面の異なる箇所に立設された複数の筒状の深皿部３とを備え、深盆部２の内部において，深皿部３が存在しない部分を水溜部４として、各深皿部３の全外周壁を、水溜部４に入れた水８によって囲むようにし、深皿部３のいずれか一つ以上の内周壁面に，ペットフード７の残量を示す目盛り５を設け、且つ深盆部２の下部に通じる排水口２ａに開閉装置９を設けている。
【０００７】
請求項３に記載の猫用食器は、複数に分けた同一又は異種のペットフード７を別々に収納することができる猫用食器１であって、深盆部２と、深盆部２の底面の異なる箇所に立設された複数の筒状の深皿部３とを備え、深皿部２の内部において，深皿部３が存在しない部分を水溜部４として、各深皿部３の全外周壁を、水溜部４に入れた水８によって囲むようにし、複数の深皿部３の一以上の底面から，ウエットなペットフードのへばりつきを防止する複数の突起６を立設し、且つ深盆部２の下部に通じる排水口２ａに開閉装置９を設けている。
【０００８】
請求項４に記載の猫用食器は、複数に分けた同一又は異種のペットフード７を別々に収納することができる猫用食器１であって、深盆部２と、深盆部２の底面の異なる箇所に立設された複数の筒状の深皿部３とを備え、深盆部２の内部において，深皿部３が存在しない部分を水溜部４として、各深皿部３の全外周壁を、水溜部４に入れた水８によって囲むようにし、
深皿部３のいずれか一つ以上の内周壁面に，ペットフード７の残量を示す目盛り５を設け、さらに，複数の深皿部３の一つ以上の底面から、ウエットなペットフードのへばりつきを防止する複数の突起６を立設し、且つ深盆部２の下部に通じる排水口２ａに開閉装置９を設けている。
【考案の効果】
【０００９】
請求項１に記載の猫用食器１は、深盆部２に、複数の深皿部３および水溜部４を設けたので、従来のように複数の食器を使用する場合と比較して、その取扱いが容易である。
【００１０】
深皿部３が存在しない部分を水溜部４とし、深皿部３の全外周を、水溜部４に入れた水８によって囲むようにしているので、蟻は、この水の存在によって、深皿部３に集まることができない。従って、猫用食器を衛生に保つことができ、また、猫がペットフード７と一緒に蟻を食べてしまうこともない。なお、水溜部４の水は、蟻が集まるのを防止するのみならず、食器を重くしているので、安定度が増し、猫によってひっくり返されることがない。また、猫用食器１を洗浄するとき、ペットフードが残っている状態だと水を捨てるときにペットフードがばらばらになってしまって面倒くさいが、深盆部２の底面又は側面即ち下部に排水口２ａを設け、開閉９を開いて深盆部２内の水を捨ててから、深皿部３内のペットフードを取除き、本体を洗浄すればペットフード７が散乱することなく、簡単に猫用食器１の全体を洗浄することが出来る。
【００１１】
請求項２に記載の猫用食器は、請求項１に記載の考案と同様の効果を発揮する。また、深皿部３のいずれか一つ以上の内周壁面に、ペットフード７の残量を示す目盛り５を設けたので、例えば、複数回分のペットフード７を入れた場合、その残量を容易に把握することができるので、必要に応じて新たなペットフード７等を補充することができる。また、猫用食器１を洗浄するとき、ペットフードが残っている状態だと水を捨てるときにペットフードがばらばらになってしまって面倒くさいが、深盆部２の底面又は側面即ち下部に排水口２ａを設け、開閉９を開いて深盆部２内の水を捨ててから、深皿部３内のペットフードを取除き、本体を洗浄すればペットフード７が散乱することなく、簡単に猫用食器１の全体を洗浄することが出来る。従って、きわめて便利である。
【００１２】
請求項３に記載の猫用食器は、請求項１に記載の考案と同様の効果を発揮する。また、複数の深皿部３の一つ以上の底面から、ウエットなペットフード７のへばりつきを防止する複数の突起６を立設したので、猫が舐めて食べることが出来るし、またドライタイプのペットフード７は引っ掛かるので、食い散らかされて屋内を汚すといった事態を未然に防止し、また猫用食器１を洗浄するとき、ペットフードが残っている状態だと水を捨てるときにペットフードがばらばらになってしまって面倒くさいが、深盆部２の底面又は側面即ち下部に排水口２ａを設け、開閉９を開いて深盆部２内の水を捨ててから、深皿部３内のペットフードを取除き、本体を洗浄すればペットフード７が散乱することなく、簡単に猫用食器１の全体を洗浄することが出来る。
【００１３】
請求項４に記載の猫用食器は、請求項１乃至３に記載の考案と同様の効果を発揮する。すなわち、その取扱いが容易であり、水８によって蟻が集まらず、ペットフード７の残量を容易に把握することができ、また、突起８によってドライタイプのペットフード７の食い散らかしを防ぐと共に、ウエットタイプのペットフード７が、食器の底面や壁面にへばりつくことがなく、また猫用食器１を洗浄するとき、ペットフードが残っている状態だと水を捨てるときにペットフードがばらばらになってしまって面倒くさいが、深盆部２の底面又は側面即ち下部に排水口２ａを設け、開閉９を開いて深盆部２内の水を捨ててから、深皿部３内のペットフードを取除き、本体を洗浄すればペットフード７が散乱することなく、簡単に猫用食器１の全体を洗浄することが出来る。
【考案を実施するための最良の形態】
【００１４】
本考案に係る猫用食器の実施形態を、図１乃至図３に示す。これは、複数に分けた同一又は異種のペットフード７を別々に収納することができるものであって、深盆部２と深盆部２の底面の異なる箇所に立設された複数の筒状の深皿部３を備える。そして、深盆部２の内部において、深皿部３が存在しない部分を水盆部４とし、各深皿部３の全周壁を、水溜部４に入れた水８によって囲むようにしている。また、深盆部２の下部に通じる排水口２ａに開閉装置９を設けている。排水口は小孔よりなるもので、開閉装置は弁状，栓状またはキャップ状よりなるものである。
【００１５】
なお、この猫用食器は、その平面形状を、猫の足裏の形態に模しているが、本考案はこうした形態に限定されるものではなく、例えば、平面円形状、楕円形状、多角形状などの適宜の形状とすることができる。
【００１６】
本実施形態に係る猫用食器１は、深盆部２に、深皿部３および水溜部４を設けているので、従来のように複数の食器を使用する場合と比較してその取扱いがきわめて容易である。
【００１７】
また、深皿部３が存在しない部分を水溜部４として、深皿部３の全外周を、水溜部４に入れた水８によって囲んでいる。これによって、蟻は、深皿部３に集まることができない。これにより、猫用食器を衛生に保つことができ、また、猫がペットフード７と共に蟻を食べてしまうといった事態も未然に防止することができる。なお、この水８は、猫用食器１の重量を増加させ、安定度が増し、猫によってひっくり返されることがない。また、猫用食器１を洗浄するとき、ペットフードが残っている状態だと水を捨てるときにペットフードがばらばらになってしまって面倒くさいが、深盆部２の底面又は側面即ち下部に排水口２ａを設け、開閉９を開いて深盆部２内の水を捨ててから、深皿部３内のペットフードを取除き、本体を洗浄すればペットフード７が散乱することなく、簡単に猫用食器１の全体を洗浄することが出来る。
【００１８】
また、本実施形態では、深皿部３の内周壁面に、ペットフード７の残量を示す目盛り５を設けている。従って、ペットフード７の残量を容易に確認することができ、また、残量が所定の目盛り５に達すると新たなペットフード７を入れる目安とすることができるので、きわめて便利である。
【００１９】
なお、この目盛り５は、複数の深皿部３のいずれか一つ以上に設けることもできる。また、本実施形態における目盛り５は、内周壁面に部分的に設けているが、内周壁面の全周に連続的に設けることもできる。さらに、この目盛り５は凸状に設けているが、それに代えて、凹状に設けたり、線を描くことによって設けることもできる。
【００２０】
さらに、本実施形態では、複数の深皿部３の全底面から、ペットフード７のへばりつきを防止する複数の突起６を立設している。これにより、ウエットタイプのペットフードが深皿部３の底面や内周面にへばりつくことがなく、またドライタイプのペットフードの食い散らかしを防ぐことができる。なお、この突起６の高さや形状および設置本数は限定されない。
【図面の簡単な説明】
【００２１】
【図１】本考案の実施形態に係る猫用食器を示す平面図である。
【図２】図１のＡ−Ａ断面図である。
【図３】図１のＢ−Ｂ断面図である。
【符号の説明】
【００２２】
１        猫用食器
２        深盆部
２ａ      排水口
３        深皿部
４        水溜部
５        目盛
６        突起
７        ペットフード
８        水
９        排水口開閉装置
【図１】
0003142913.tif 000003
【図２】
0003142913.tif 000004
【図３】
0003142913.tif 000005